(57)【特許請求の範囲】
【請求項１】
静電容量型のタッチパネルと、
前記タッチパネルにおける静電容量の変化に応じた静電容量値を検出する静電容量値検出部と、
所定の感度基準値に感度補正値を考慮して決定される判定閾値と、前記静電容量値検出部により検出される静電容量値とを比較することにより、前記タッチパネルに対する操作入力を検出する検出判定部と、
前記静電容量値検出部により検出される静電容量値の推移に基づいて前記感度補正値を設定することにより、前記タッチパネルの検出感度を制御する感度制御部と
を有するタッチパネル装置であって、
前記感度制御部は、前記静電容量値検出部が検出可能範囲の下限以上の静電容量値を検出し始めたときから一定時間経過後の前記静電容量値の増加値が規定値以下の場合に、前記静電容量値が前記判定閾値以上であれば、検出感度を低下させるように前記感度補正値を設定し、前記静電容量値が前記判定閾値未満であれば、検出感度を増加させるように前記感度補正値を設定することを特徴とするタッチパネル装置。
【請求項２】
前記感度制御部は、前記静電容量値検出部が検出可能範囲の下限以上の静電容量値を検出し始めたときから一定時間経過後の前記静電容量値の増加値が規定値を超えていれば、ノイズと判定して前記静電容量値の検出をやり直すことを特徴とする請求項１に記載されたタッチパネル装置。
【請求項３】
前記検出判定部は、前記静電容量値検出部により検出される静電容量値の推移に基づいて、前記タッチパネルへの操作に伴う前記静電容量値の変化特性を判断した場合には、前記タッチパネルに対する操作入力の検出判定を行うことを特徴とする請求項１または２に記載されたタッチパネル装置。
【請求項４】
前記感度制御部は、前記静電容量値検出部によって検出された検出位置の移動量からスライド操作であることを検出した場合には、プッシュ操作用の補正値に代えてスライド操作用の補正値を前記感度補正値として設定することを特徴とする請求項１から３のいずれかに記載されたタッチパネル装置。
【請求項５】
前記タッチパネルを操作する操作者を特定する操作者特定部と、
前記感度補正値を格納する記憶部とをさらに有し、
前記感度制御部は、前記操作者特定部により特定された操作者に応じて前記感度補正値を設定するとともに、前記操作者と前記感度補正値とを対応付けて前記記憶部に格納することを特徴とする請求項１から４のいずれかに記載されたタッチパネル装置。
【請求項６】
静電容量型のタッチパネルにおける静電容量の変化に応じた静電容量値を検出するステップと、
前記検出される静電容量値の推移に基づいて感度補正値を設定することにより、前記タッチパネルの検出感度を制御するステップと、
所定の感度基準値に前記感度補正値を考慮して決定される判定閾値と、前記検出される静電容量値とを比較することにより、前記タッチパネルに対する操作入力を検出するステップと、
を有するタッチパネル装置の検出感度調整方法であって、
前記検出感度を制御するステップは、
前記静電容量値を検出するステップにおいて検出可能範囲の下限以上の静電容量値を検出し始めたときから一定時間経過後の前記静電容量値の増加値を求めるステップと、
前記静電容量値の増加値が規定値以下の場合に、前記静電容量値が前記判定閾値以上であれば、検出感度を低下させるように前記感度補正値を設定し、前記静電容量値が前記判定閾値未満であれば、検出感度を増加させるように前記感度補正値を設定するステップと、
を有することを特徴とするタッチパネル装置の検出感度調整方法。
【発明の詳細な説明】
【技術分野】
【０００１】
本発明は、タッチパネル装置およびその検出感度調整方法に関する。
【背景技術】
【０００２】
従来より、例えばディスプレイ装置に重畳されたタッチパネルを押下操作することにより、表示画面上に表示される情報に従い入力操作を行うことが可能なタッチパネル装置が知られている。例えば、特許文献１には、厚手の手袋をしていても、手袋なしの指であっても入力操作を検出することが可能なタッチパネル装置が開示されている。具体的には、このタッチパネル装置は、検出感度を高感度から低感度へ変化させ、検出手段の検出が非検出になると、検出感度を低感度から高感度へ変化させる。そして、検出判定手段は、検出感度を低感度から高感度へ変化させて再度検出された状態が継続すると、検出と判定する。
【先行技術文献】
【特許文献】
【０００３】
【特許文献１】特開２００７−２７０３４号公報
【発明の概要】
【発明が解決しようとする課題】
【０００４】
ところで、この類のタッチパネル装置では、特許文献１に開示されているように、過度な検出や検出不能といった誤検出を抑制することが重要であるため、手袋の有無や操作者の違いといったように操作態様に応じて検出感度が適切に設定されていることが望ましい。
【０００５】
本発明はかかる事情に鑑みてなされたものであり、その目的は、検出感度を適切に設定することにより誤検出といった事態を抑制することである。
【課題を解決するための手段】
【０００６】
かかる課題を解決するために、本発明は、タッチパネルにおける静電容量の変化に応じた静電容量値を検出し、所定の感度基準値に感度補正値を考慮して決定される検出範囲に静電容量値が含まれることによりタッチパネルに対する操作入力を検出し、静電容量値の推移に基づいて感度補正値を設定することによりタッチパネルの検出感度を制御する。
特に、静電容量値の推移に基づいて感度補正値を設定する際に、静電容量値を検出し始めたときから一定時間経過後の静電容量値の増加値が規定値以下の場合に、静電容量値が判定閾値以上であれば、検出感度を低下させるように感度補正値を設定し、静電容量値が判定閾値未満であれば、検出感度を増加させるように感度補正値を設定することを特徴とする。
【発明の効果】
【０００７】
本発明によれば、静電容量値の推移に応じて感度補正値が設定されるので、検出判定を行うための検出範囲が適切に設定されることとなり、これにより、操作態様に応じて検出感度を設定することができる。これにより、誤検出を抑制することができ、操作入力を正確に検出することができる。
【図面の簡単な説明】
【０００８】
【図１】第１の実施形態にかかるタッチパネル装置を模式的に示すブロック図
【図２】第１の実施形態にかかるタッチパネル１の検出動作を示すフローチャート
【図３】検出感度および静電容量値の説明図
【図４】前回の感度補正値が高感度に対応する値に保存されていたケースにおいて、手袋を装着した状態でのプッシュ操作にともなう感度補正値および静電容量値の推移を示すグラフ
【図５】前回の感度補正値が標準感度に対応する値に保存されていたケースにおいて、手袋を装着した状態でのプッシュ操作にともなう感度補正値および静電容量値の推移を示すグラフ
【図６】前回の感度補正値が高感度に対応する値に保存されていたケースにおいて、素手の状態でのプッシュ操作にともなう感度補正および静電容量値値の推移を示すグラフ
【図７】スライド操作にともなう静電容量値の推移を示すグラフ
【図８】第２の実施形態にかかるタッチパネル装置を模式的に示すブロック図
【発明を実施するための形態】
【０００９】
（第１の実施形態）
図１は、第１の実施形態にかかるタッチパネル装置を模式的に示すブロック図である。このタッチパネル装置は、ディスプレイ上に表示される情報に従い入力操作を行うことが可能な装置であり、例えば車両のインストルメントパネルに配設されたディスプレイ上に重畳的に配置され、車両用機器（例えばカーナビゲーション装置、空調装置など）を操作する装置である。タッチパネル装置は、タッチパネル１と、静電容量値検出部２と、制御装置３とを主体に構成されており、本実施形態では、静電容量値の変化を検出することにより接触位置を検出する静電容量方式の装置である。
【００１０】
タッチパネル１は、液晶等のディスプレイ上に積層的に配置されており、ユーザの指や専用ペンなど（以下これらを総称して「操作指」という）によって押下操作される操作面を備えている。タッチパネル１は、二次元的に配置される検出電極（図示せず）を備えており、この検出電極により、操作面への操作指の接近および押下に応じて、これらの状況を静電容量の変化として出力することができる。
【００１１】
静電容量値検出部２は、タッチパネル１から出力される静電容量の変化を静電容量値として検出する。また、静電容量値検出部２は、検出した静電容量値をその検出位置と関連づけた上で、これを検出結果として制御装置３に出力する。
【００１２】
制御装置３は、タッチパネル装置を統合的に制御する機能を担っている。制御装置３としては、ＣＰＵ、ＲＯＭ、ＲＡＭ、Ｉ／Ｏインターフェースを主体に構成されたマイクロコンピュータを用いることができる。
【００１３】
制御装置３は、静電容量値検出部２の検出結果に基づいて、タッチパネル１への有効な操作入力の有無をオンまたはオフとして判断する。そして、制御装置３は、この判断結果を、アプリケーションソフトに応じて車両用機器を制御する外部コントロ−ラ４に対して出力する。また、本実施形態との関係において、制御装置３は、操作指に対するタッチパネル１の検出感度を自動的に調整（補正）する機能を備えている。
【００１４】
制御装置３は、これを機能的に捉えた場合、補正値保存メモリ３１と、タイマ・補正値設定部３２と、検出判定部３３と、検出結果出力部３４とを有している。
【００１５】
補正値保存メモリ３１は、検出感度を補正するための感度補正値αを格納している。補正値保存メモリ３１に格納される感度補正値αは、タイマ・補正値設定部３２により読み込まれたり、新たな値により更新されたりする。
【００１６】
タイマ・補正値設定部３２は、補正値保存メモリ３１から感度補正値αを読み出し、この感度補正値αを検出判定部３３へ出力する。また、タイマ・補正値設定部３２は静電容量値検出部２より出力された静電容量値をモニタリングする。そして、タイマ・補正値設定部３２は、静電容量値の推移に基づいて、静電容量値の変化量から操作状態であるか否かを判定し、この判定結果に応じて検出感度の補正、具体的には、感度補正値αを設定す
る。
【００１７】
タイマ・補正値設定部３２は、設定された感度補正値αを補正値保存メモリ３１へ格納する。この補正値保存メモリ３１に格納された感度補正値αは、次回の操作時における感度補正値αとして機能する。
【００１８】
また、タイマ・補正値設定部３２は、検出結果出力部３４からの出力結果と、検出位置の位置的な変化とに基づいて、操作指が特定距離以上移動しているか否か、すなわち、スライド操作を行っているか否かを判断する。タイマ・補正値設定部３２は、この判断結果に基づいて、プッシュ操作用の補正値に代えてスライド操作用の補正値を感度補正値αとして設定する。
【００１９】
検出判定部３３は、タイマ・補正値設定部３２から出力される感度補正値αを判定閾値へ反映させる。そして、検出判定部３３は、静電容量値検出部２より出力された静電容量値をモニタリングしつつ、この静電容量値と判定閾値とを比較する。これにより、検出判定部３３は、判定閾値以上の静電容量値を検出したか否か、すなわち、タッチパネル１に対する操作入力を検出したか否かを判定し、この判定結果を検出結果出力部３４に出力する。
【００２０】
検出結果出力部３４は、検出判定部３３から判定結果をオンオフで出力する。具体的には、検出結果出力部３４は、タッチパネル１に対する操作入力を検出したと判定された場合には検出結果をオンとし、タッチパネル１に対する操作入力を検出していないと判定された場合には検出結果をオフとする。検出結果出力部３４によるオン・オフ状態は、外部コントローラ４およびタイマ・補正値設定部３２に対して出力される。
【００２１】
外部コントローラ４は、検出結果出力部３４からの出力情報に基づいて、タッチパネル１に対する操作指の操作に応じて機能を実行する。なお、前述の検出結果出力部３４は、検出結果をオンとする場合、外部コンローラに検出結果と併せて検出位置も出力することができる。
【００２２】
図２は、本実施形態にかかるタッチパネル１の検出動作を示すフローチャートである。このフローチャートに示す処理は、制御装置３により実行される。
【００２３】
ステップ１（Ｓ１）において、タイマ・補正値設定部３２は、補正値保存メモリに感度補正値αが格納されている否かを判定する。このステップ１において否定判定された場合、すなわち、感度補正値αが格納されていない場合には、ステップ２（Ｓ２）に進む。一方、ステップ１において肯定判定された場合、すなわち、感度補正値αが格納されている場合には、ステップ３（Ｓ３）に進む。
【００２４】
ステップ２において、タイマ・補正値設定部３２は、予め設定されている初期値を感度補正値αに設定する。これに対して、ステップ３において、タイマ・補正値設定部３２は、補正値保存メモリ３１に格納されている値（前回の処理サイクルにおいて演算された感度補正値α値）を感度補正値αとして設定する。
【００２５】
ステップ４（Ｓ４）において、タイマ・補正値設定部３２および検出判定部３３は、静電容量値の計測を開始する。
【００２６】
ステップ５（Ｓ５）において、タイマ・補正値設定部３２は、静電容量値を検出したか否かを判断する。一般に、タッチパネル１に対する入力操作が行われると、これに対応して静電容量値は増加する。このステップ５では、図３に示すように、静電容量値検出部２
からの静電容量値が、制御装置３において設定される検出可能範囲Ｃds（Ｃdth1≦Ｃds≦Ｃdth4）に到達しているか否かが判断される。このステップ５において肯定判定された場合、すなわち、静電容量値が検出可能範囲Ｃdsに到達している場合には、ステップ６（Ｓ６）に進む。一方、ステップ５において否定判定された場合、すなわち、静電容量値が検出可能範囲Ｃdsに到達していない場合には、ステップ４に戻る。
【００２７】
ステップ６において、タイマ・補正値設定部３２は、静電容量値の増加量Ｃetupが規定値Ｃeth1以下か否かを判断する。ここで、静電容量値の増加量Ｃetupは、ステップ５において静電容量値を検出したタイミングから一定時間（初期検出期間）経過後の静電容量値の増加量である。換言すれば、この増加量Ｃetupは、タッチパネル１への操作開始に伴う静電容量値の初期的な変化をトリガーとした所定期間での静電容量値の推移における増加量に該当する。静電容量値が短時間で急激に大きく変化する場合、ノイズなどの影響が考えられるので、このような変化を判定するためにステップ６の判断が設けられている。したがって、このステップ６の処理により、タッチパネル１への操作に伴う静電容量値の変化特性の有無が判断されることとなる。
【００２８】
このステップ６において否定判定された場合、静電容量値の増加量Ｃetupが規定値Ｃeth1よりも大きい場合には、ステップ７（Ｓ７）に進む。一方、ステップ６において肯定判定された場合、静電容量値の増加量Ｃetupが規定値Ｃeth1以下の場合には、ステップ８（Ｓ８）に進む。
【００２９】
ステップ７において、タイマ・補正値設定部３２は、検出された静電容量値はノイズとは判断する。そして、ステップ４以降の処理を再度実行する。
【００３０】
ステップ８において、タイマ・補正値設定部３２は、静電容量値が現在設定されている検出感度の範囲内に存在しているか否かを判断する。
【００３１】
例えば、ユーザが手袋を嵌めた状態でタッチパネル１を操作したり、タッチパネル１を押下する力が弱かったりする場合には、通常の操作態様と比較して、静電容量値の増加幅が小さくなるという傾向がある。逆に、タッチパネル１を押下する力が強い場合には、通常の操作態様と比較して、静電容量値の増加幅が大きくなるという傾向がある。このような操作態様を考慮して、検出感度を可変することができるようになっており、静電容量値が、個々の検出感度に応じて設定される判定閾値以上となることを条件に、操作入力を検知する。この判定閾値は感度基準値Ｓｂに感度補正値αを考慮して決定される。図３では、例えば高感度、標準感度、低感度といった３つのレベルを検出感度として例示している。
【００３２】
標準感度は、感度基準値Ｓｂと対応する基準容量値Ｃdth2以上、検出可能範囲Ｃdsの上限値である上限容量値Ｃdth4以下となる範囲の静電容量値を検出可能とする。つぎに、高感度は、感度基準値Ｓｂに感度補正値（正の値）αを加えた範囲（同図の例では、検出可能範囲Ｃdsの下限値である下限容量値Ｃdth1から上限容量値Ｃdth4までの範囲）の静電容量値を検出可能とする。これに対して、低感度は、感度基準値Ｓｂから感度補正値（負の値）αを減じた範囲（同図の例では、基準容量値Ｃdth2よりも大きい容量値Ｃdth3から上限容量値Ｃdth4までの範囲）の静電容量値を検出可能とする。ここで、同図において、「＋」は操作入力として検知する静電容量値を示し、「＊」は操作入力として検知しない静電容量値を示している。なお、検出感度は、３つのレベルに限定されるものではなく、より細分化した多段的なレベルに応じて感度補正値αを設定してもよいし、静電容量値のピーク値をベースに感度補正値αを設定してもよい。
【００３３】
このステップ８では、検出判定部３３は、静電容量値と感度基準値Ｓｂに感度補正値α
を考慮した判定閾値とを比較し、現在設定されている検出感度の範囲に静電容量値が含まれているいか否かを判断する。ステップ８において否定判定された場合、すなわち、静電容量値が検出感度の範囲に含まれていない場合には、ステップ９（Ｓ９）に進む。一方、ステップ８において肯定判定された場合、すなわち、静電容量値が設定感度の範囲に含まれている場合には、ステップ１２（Ｓ１２）に進む。
【００３４】
ステップ９において、タイマ・補正値設定部３２は、静電容量値の推移を観測し、検出可能範囲Ｃdsで一定時間が経過したか否かを判断する。このステップ９において肯定判定された場合、すなわち、検出可能範囲Ｃdsで一定時間が経過した場合には、ステップ１０（Ｓ１０）に進む。一方、ステップ９において否定判定された場合、すなわち、検出可能範囲Ｃdsで一定時間が経過していない場合には、前述のステップ７に進む。
【００３５】
ステップ１０において、タイマ・補正値設定部３２は、感度補正値αを修正する。具体的には、現在の感度補正値αとして、低感度用の感度補正値αが設定されている場合には、このステップ１０により、感度補正値αは、標準感度用の感度補正値αに設定される。あるいは、現在の感度補正値αとして、標準感度用の感度補正値αが設定されている場合には、このステップ１０により、感度補正値αは、高感度用の感度補正値α（例えば、正の所定値）に設定される。
【００３６】
ステップ１１（Ｓ１１）において、タイマ・補正値設定部３２は、ステップ１０において設定された感度補正値αを補正値保存メモリ３１に保存する。これにより、従前に格納されて感度補正値αは、今回設定された値によって更新される。
【００３７】
ステップ１２において、タイマ・補正値設定部３２は、現在の検出感度を低下させるか否かを判断する。例えば、ユーザの操作態様と比較して、検出感度が高すぎる場合には、ユーザの意図しない操作入力が検出されてしまう可能性がある。そこで、タイマ・補正値設定部３２は、ユーザの操作態様、すなわち、現在の静電容量値と、各容量値Ｃdth1〜Ｃdth4とを比較する。そして、タイマ・補正値設定部３２は、現在の静電容量値が現在の検出感度よりも低い検出感度を規定する容量値Ｃdth1〜Ｃdth4よりも大きい場合には、設定感度の低下を判定する。例えば、現在の検出感度が高感度である場合、タイマ・補正値設定部３２は、現在の静電容量値が、標準感度を規定する基準容量値Ｃdth2よりも大きい場合には、検出感度の低下を判定するといった如くである。
【００３８】
このステップ１２において肯定判定された場合、すなわち、検出感度を低下させる場合には、ステップ１０に進む。この場合、ステップ１０では、前述の処理とは異なり、低下させる検出感度に応じた感度補正値αが設定される。一方、ステップ１２において否定判定された場合、すなわち、検出感度を低下させない場合には、ステップ１３（Ｓ１３）に進む。
【００３９】
ステップ１３において、検出結果出力部３４は検出結果をオンとする。
【００４０】
ステップ１４（Ｓ１４）において、タイマ・補正値設定部３２は、検出位置が移動しているか否かを判断する。このステップ１４において否定判定された場合、すなわち、検出位置が移動していない場合には、ステップ１５（Ｓ１５）に進む。一方、ステップ１４において肯定判定された場合、すなわち、検出位置が移動している場合には、ステップ１６（Ｓ１６）に進む。
【００４１】
ステップ１５において、タイマ・補正値設定部３２は、プッシュ操作の補正値を設定する。
【００４２】
ステップ１６（Ｓ１６）において、タイマ・補正値設定部３２は、検出位置の移動距離が特定距離以上であるか否かを判断する。この特定距離は、操作指によるスライド操作が行われたか否かを判定するための距離であり、実験やシミュレーションを通じて最適値が予め設定されている。このステップ１６において否定判定された場合、すなわち、検出位置の移動距離が特定距離以上でない場合には、ステップ１５に進む。一方、ステップ１６において肯定判定された場合、すなわち、検出位置の移動距離が特定距離以上である場合には、ステップ１７（Ｓ１７）に進む。
【００４３】
ステップ１７において、タイマ・補正値設定部３２は、スライド操作の補正値を設定する。
【００４４】
ステップ１８（Ｓ１８）において、検出判定部３３は、静電容量値の減少値Ｃetdownが第２の判定値Ｃeth2以上であるか否かを判断する。このステップ１８において肯定判定された場合、すなわち、静電容量値の減少値Ｃetdownが第２の判定値Ｃeth2以上である場合には、ステップ１９（Ｓ１９）に進む。一方、ステップ１８において否定判定された場合、すなわち、静電容量値の減少値Ｃetdownが第２の判定値Ｃeth2よりも小さい場合には、ステップ１３の処理に戻る。
【００４５】
ステップ１９において、検出結果出力部３４は検出結果をオフとする。
【００４６】
図４は、前回の感度補正値αが高感度に対応する値に保存されていたケースにおいて、手袋を装着した状態でのプッシュ操作にともなう静電容量値および感度補正値αの推移を示すグラフである。同図において「＋」は静電容量値の推移を示している。同図に示すように、手袋を装着した状態での操作は、タッチパネル１に触れた状態であっても、静電容量値の増加量が小さい。このため、静電容量値の推移は、検出可能範囲Ｃds外から検出可能範囲Ｃds内に到達するものの、検出感度の高い位置でピークとなる。静電容量値の検出から一定時間（初期検出期間）経過後に、検出結果をオンとして、静電容量値が検出範囲外になるまでの操作状態を検出する。
【００４７】
図５は、前回の感度補正値αが標準感度に対応する値に保存されていたケースにおいて、手袋を装着した状態でのプッシュ操作にともなう静電容量値および感度補正値αの推移を示すグラフである。タイマ・補正値設定部３２は、初期検出期間で静電容量値を検出し、ピークが低いことを判定すると、高感度、すなわち、検出感度を高めるように感度補正値αの設定を行う。感度補正値αの修正を行った結果、検出結果出力部３４は、検出結果をオンとして操作状態を検出することができる。
【００４８】
図６は、素手の状態の操作で、前回の感度補正値αが高感度に対応する値に保存されていたケースにおいて、プッシュ操作にともなう静電容量値および感度補正値αの推移を示すグラフである。タイマ・補正値設定部３２は、初期検出期間で静電容量値を検出し、ピークが高いことを判定し、検出感度を標準感度にするように感度補正値αの修正を行う。その後、検出結果出力部３４は、操作を完了し指が離れてゆくことを判定すると、検出結果をオフとする。
【００４９】
図７は、スライド操作に伴う静電容量値の推移を示すグラフである。タイマ・補正値設定部３２は、初期検出期間で、ピーク値が低いことを判定して検出感度を高感度にするように感度補正値αｐの修正を行い検出結果を行い、検出結果をオンとする。その後、静電容量検出位置と検出感度の変動量を検出しスライド操作が行われていると判断する。そして、スライド操作の感度補正値αｓに設定し、設定された静電容量値になるまで検出結果のオン出力を継続する。
【００５０】
このように本実施形態のタッチパネル装置において、制御装置３（検出判定部３３）は、所定の感度基準値に感度補正値αを考慮して決定される検出範囲に、静電容量値検出部２により検出される静電容量値が含まれることにより、タッチパネル１に対する操作入力を検出する（検出判定部）。また、制御装置３（タイマ・補正値設定部３２）は、静電容量値検出部２により検出される静電容量値の推移に基づいて感度補正値αを設定することにより、タッチパネル１の検出感度を制御する（感度制御部）。
【００５１】
かかる構成によれば、静電容量値の推移に応じて感度補正値αを設定することにより、操作態様に応じた検出感度を設定することができる。これにより、誤検出を抑制することができるので、操作入力を正確に検出することができる。
【００５２】
また、本実施形態において、タイマ・補正値設定部３２は、タッチパネル１への操作開始に伴う静電容量値の初期的な変化をトリガーとした所定期間（初期検出期間）における静電容量値の推移に基づいて感度補正値αを設定している。
【００５３】
かかる構成によれば、一定の初期検出期間において感度補正値αの設定が行われるので、感度調整に要する時間がばらつくといった事態が抑制される。これにより、手袋の有無といった操作態様に違いによる感度調整の時間ばらつきが低減されるので、ユーザが違和感を覚えるといった事態を抑制することができる。
【００５４】
本実施形態において、検出判定部３３は、静電容量値検出部２により検出される静電容量値の推移に基づいて、タッチパネル１への操作に伴う静電容量値の変化特性を判断した場合には、タッチパネル１に対する操作入力の検出判定を行う。
【００５５】
かかる構成によれば、また、操作指の接近または押下による静電容量値の変化特性を判断することにより、ノイズによる急激な静電容量値の変化や、意図しない人体の近接による静電容量値の変化を、操作入力として検出するといった事態を抑制することができる。
【００５６】
また、本実施形態において、図７に示すように、タイマ・補正値設定部３２は、静電容量値検出部２によって検出された検出位置の移動量からスライド操作であることを検出した場合には、プッシュ操作用の補正値に代えてスライド操作用の補正値を感度補正値αとして設定する。
【００５７】
かかる構成によれば、スライド操作時に検出される静電容量値の変化に対応して検出感度の補正が行われる。そのため、操作しながら指を移動させるスライド操作を途切れることなく検出できる。
【００５８】
（第２の実施形態）
図８は、第２の実施形態にかかるタッチパネル装置を模式的に示すブロック図である。第２の実施形態にかかるタッチパネル装置が、第１の実施形態のそれと相違する点は、操作者に対応した感度補正を行う点である。以下、第１の実施形態と重複する構成についての説明は省略し、相違点を中心に説明を行うこととする。
【００５９】
本実施形態のタッチパネル装置は、車両情報入力部５をさらに有している。この車両情報入力部５は、スマートキー、シートポジション、体重、携帯電話といった車両情報を制御装置３に対して入力する。
【００６０】
また、制御装置３は、乗員判定部３５と、乗員特性判定部３６とをさらに有しており、これらの要素は、タッチパネルを操作する操作者を特定する操作者特定部として機能する。乗員判定部３５は、車両情報入力部５からの車両情報に基づいて、タッチパネル１の操
作者たる乗員を判定する。乗員特性判定部３６は、乗員の操作特性（例えば、運転席側からの操作であるのか、それとも助手席側からの操作であるのかといった特性）を判定する。また、タイマ・補正値設定部３２は、特定された操作者に応じて感度補正値αを設定する。判定された乗員の情報、および、当該乗員の操作特性の情報は、設定された感度補正値αに関連づけて補正値保存メモリ３１に格納される。これにより、本実施形態において、タイマ・補正値設定部３２は、補正値保存メモリ３１を参照することにより、操作者に対応する感度補正値αを設定する。
【００６１】
かかる構成によれば、操作者たる乗員を特定することにより、大人・子供（操作する手の大きさ）の違いや、操作方法の癖（爪操作や親指操作、人差し指操作、圧力をかけて操作、軽くなぞるように操作）の違いを識別することができる。これにより、操作者の特性（静電容量値）の違いに合わせた感度補正値αを設定することができるので、操作者にとって最適な感度での検出が可能となる。
【００６２】
以上、本発明の実施形態にかかるタッチパネル装置およびその検出感度調整方法について説明したが、本発明は上述した実施形態に限定されることなく、その発明の範囲内において種々の変形が可能であることはいうまでもない。
【符号の説明】
【００６３】
１      タッチパネル
２      静電容量値検出部
３      制御装置
３１    補正値保存メモリ
３２    タイマ・補正値設定部
３３    検出判定部
３４    検出結果出力部
３５    乗員判定部
３６    乗員特性判定部
４      外部コントローラ
【図１】
0005691421.tif 000002
【図２】
0005691421.tif 000003
【図３】
0005691421.tif 000004
【図４】
0005691421.tif 000005
【図５】
0005691421.tif 000006
【図６】
0005691421.tif 000007
【図７】
0005691421.tif 000008
【図８】
0005691421.tif 000009